(57)【要約】  【課題】  ＩＣタグ監視装置に対する不正な改造を防止することができるＩＣタグ監視回路収納ボックスを提供すること。  【解決手段】  ＩＣタグ監視回路が設けられた第一基板組５０をのせたベース３２に第一カバー６４を組み付けることによって第一基板組５０を格納する。さらに第二カバー８０を第一カバー６４の上からベース３２に組み付け、ベース３２の爪部３４が第二カバー８０の段差８２に係止される。このとき、第二カバー８０の段差８２が、第一基板組５０内の基板実装用コネクタ５２に挿入されるケーブルコネクタの引き抜き方向線上の近傍に位置するので不正なケーブルコネクタの引き抜きが防止される。  【選択図】  図５
2006212169.tif 000002
【特許請求の範囲】
【請求項１】
遊技機の所定の箇所に設置されたＩＣタグとアンテナとの通信状態を監視するＩＣタグ監視回路が設けられた第一の基板と、
前記第一の基板が設置されるベース部材と、
前記第一の基板を覆い、前記ベース部材と組み合わされることによって前記第一の基板を収納する第一のカバー部材と、
前記第一のカバー部材を覆い、前記ベース部材に嵌合される第二のカバー部材と、
前記第二のカバー及び前記ベース部材のうちの一方に備えられた第二カバー監視用ＩＣタグと、
前記第二のカバー及び前記ベース部材のうちの他方に備えられ、前記第二カバー監視用ＩＣタグと通信を行うことによって、前記ベース部材と前記第二のカバー部材との嵌合状態を監視する第二カバー監視用アンテナと
を備えたことを特徴とするＩＣタグ監視回路収納ボックス。
【請求項２】
前記第一の基板に設けられた基板実装用コネクタと、
前記第一のカバー部材の一部分で、前記基板実装用コネクタを覆う部分に開口された第一の開口部と、
前記第二のカバーが前記ベース部材と嵌合した際に、前記基板実装用コネクタに接続され、前記第一の開口部から突出しているケーブルコネクタの引き抜き方向線上の近傍に配置され、前記第二のカバー部材の内側に突出して形成された段差部と
を備えたことを特徴とする請求項１に記載のＩＣタグ監視回路収納ボックス。
【請求項３】
前記第一のカバー部材の上面に開口された第二の開口部と、
前記第一のカバー部材の外側に設けられ、前記第二の開口部を通じて前記第一の基板と電気的に接続される第二の基板と
を備えたことを特徴とする請求項１または２に記載のＩＣタグ監視回路収納ボックス。
【請求項４】
前記ＩＣタグ監視回路収納ボックスの底面に設けられ、前記ＩＣタグ監視回路収納ボックスによって得られた前記遊技機の監視情報を、前記遊技機を統括管理する外部の管理機へ無線送信する無線ユニットが固定される第一設置部と、
前記ＩＣタグ監視回路収納ボックスの底面において、前記無線ユニットが前記第一設置部に固定された場合に対して前記無線ユニットが９０度回転された方向に固定される第二設置部と
を備えたことを特徴とする請求項１乃至３のいずれかに記載のＩＣタグ監視回路収納ボックス。
【請求項５】
請求項１乃至４のいずれかに記載のＩＣタグ監視回路収納ボックスによって所定の各所が監視される遊技機。
【発明の詳細な説明】
【技術分野】
【０００１】
本発明は、遊技機、例えばパチンコ機等の所定箇所を監視するＩＣタグ監視回路収納ボックス及び同ＩＣタグ監視回路収納ボックスによって監視される遊技機に関するものである。
【背景技術】
【０００２】
従来、遊技機のうちパチンコ機においては、不当に遊技球を獲得する不正行為が後を絶たず、種々の防止策が施されている。特に、遊技機の制御を司る制御基板の不正改造、例えば、不正ＲＯＭへの交換等を防止するために、制御基板を収納する制御基板ボックスには様々な工夫が施されている。
【０００３】
その一例として、制御基板ボックスが不正に開放されたことが察知できるように、制御基板ボックスにＩＣタグを設置して制御基板ボックスの開放状態を監視するものがある（例えば、特許文献１参照）。具体的には、制御基板ボックスの収納部と蓋部にそれぞれに近距離間でのみ互いに無線の送受信が可能なＩＣタグである監視タグとアンテナをそれぞれに設置する。そして、常時、両者間で送受信を行うことで、送受信が途切れた際には、監視タグとアンテナとの距離が広がったこと、すなわち制御基板ボックスが開放されたことを察知するものである。
【０００４】
また、これら監視タグ及びアンテナは制御基板ボックスのみならず、パチンコ機の前面枠及び本体枠にそれぞれ取り付けられることにより、外部からパチンコ機の大入賞口を不正に操作するためにパチンコ機の前面枠が開放されたことも察知できる。そして、これら監視タグ及びアンテナの監視を行うものがＩＣタグ監視装置である。
【特許文献１】特開２００４−０６５８０１
【発明の開示】
【発明が解決しようとする課題】
【０００５】
しかしながら、今度はこのＩＣタグによるパチンコ機の監視を阻止するために、このＩＣタグ監視装置に不正な改造が施されることが考えられる。
【０００６】
本発明は、上記の課題を解決するためになされたものであり、ＩＣタグ監視装置を収納し、同ＩＣタグ監視装置に対する不正な改造を防止することができるＩＣタグ監視回路収納ボックス及び同ＩＣタグ監視回路収納ボックスによって監視された遊技機を提供することを目的とする。
【課題を解決するための手段】
【０００７】
上記課題を解決するために、請求項１に係る発明のＩＣタグ監視回路収納ボックスでは、遊技機の所定の箇所に設置されたＩＣタグとアンテナとの通信状態を監視するＩＣタグ監視回路が設けられた第一の基板と、前記第一の基板が設置されるベース部材と、前記第一の基板を覆い、前記ベース部材と組み合わされることによって前記第一の基板を収納する第一のカバー部材と、前記第一のカバー部材を覆い、前記ベース部材に嵌合される第二のカバー部材と、前記第二のカバー及び前記ベース部材のうちの一方に備えられた第二カバー監視用ＩＣタグと、前記第二のカバー及び前記ベース部材のうちの他方に備えられ、前記第二カバー監視用ＩＣタグと通信を行うことによって、前記ベース部材と前記第二のカバー部材との嵌合状態を監視する第二カバー監視用アンテナとを備えている。
【０００８】
また、請求項２に係る発明のＩＣタグ監視回路収納ボックスでは、請求項１に記載の発明の構成に加えて、前記第一の基板に設けられた基板実装用コネクタと、前記第一のカバー部材の一部分で、前記基板実装用コネクタを覆う部分に開口された第一の開口部と、前記第二のカバーが前記ベース部材と嵌合した際に、前記基板実装用コネクタに接続され、前記第一の開口部から突出しているケーブルコネクタの引き抜き方向線上の近傍に配置され、前記第二のカバー部材の内側に突出して形成された段差部とを備えている。
【０００９】
また、請求項３に係る発明のＩＣタグ監視回路収納ボックスでは、請求項１または２に記載の発明の構成に加えて、前記第一のカバー部材の上面に開口された第二の開口部と、前記第一のカバー部材の外側に設けられ、前記第二の開口部を通じて前記第一の基板と電気的に接続される第二の基板とを備えている。
【００１０】
また、請求項４に係る発明のＩＣタグ監視回路収納ボックスでは、請求項１乃至３のいずれかに記載の発明の構成に加え、前記ＩＣタグ監視回路収納ボックスの底面に設けられ、前記ＩＣタグ監視回路収納ボックスによって得られた前記遊技機の監視情報を、前記遊技機を統括管理する外部の管理機へ無線送信する無線ユニットが固定される第一設置部と、前記ＩＣタグ監視回路収納ボックスの底面において、前記無線ユニットが前記第一設置部に固定された場合に対して前記無線ユニットが９０度回転された方向に固定される第二設置部とを備えている。
【００１１】
また、請求項５に係る発明の遊技機では、請求項１乃至４のいずれかに記載の発明の構成を備えたＩＣタグ監視回路収納ボックスによって所定の箇所が監視されている。
【００１２】
上記手段によれば、以下のような作用が得られる。
【発明の効果】
【００１３】
請求項１に係る発明のＩＣタグ監視回路収納ボックスでは、不正改造の対象とされるＩＣタグの状態を監視するＩＣタグ監視回路が設けられた第一の基板を第一のカバー及び第二のカバーの２つのカバーで二重に覆うことができ、さらに第二のカバーにも監視用のＩＣタグを設けた。したがって、外部からの不正な改造を試みる者による第一の基板への接触を困難にし、ＩＣタグ監視回路の不正な改造を防ぐことができる。
【００１４】
また、請求項２に係る発明のＩＣタグ監視回路収納ボックスでは、請求項１に記載の発明の効果に加えて、ＩＣタグ監視回路収納ボックスを組み上げた際に第二のカバーに形成された段差部を第一の基板に接続されるケーブルコネクタの引き抜き方向線上の近傍に位置するように配置することができる。したがって、不正な改造を試みる者が第一の基板からケーブルコネクタを引き抜こうとする場合でも、第二のカバーの段差部がケーブルコネクタの引き抜き動作の障害となって、ケーブルコネクタが引く抜かれることを防止できる。
【００１５】
また、請求項３に係る発明のＩＣタグ監視回路収納ボックスでは、請求項１または２に記載の発明の効果に加えて、第一のカバーの外側で第二のカバーの内側に第二の基板を備えることができる。したがって、第二の基板に不正改造の対象とはされにくい、単に遊技機監視装置の維持に要する回路を設けることにより、遊技機の管理者は二重のカバーのうちの外側のカバーである第二のカバーを外すだけで第二の基板に達することができ、部品交換等の遊技機監視装置の維持管理を容易に行うことができる。
【００１６】
また、請求項４に係る発明のＩＣタグ監視回路収納ボックスでは、請求項１乃至３のいずれかに記載の発明の効果に加えて、無線ユニットを設置する第一設置部と、同第一設置部に対して９０度回転させた第二設置部を備えたことにより、ＩＣタグ監視回路収納ボックスが遊技機設置島に対して、縦向き、横向きのいずれかの姿勢で取り付けられても、第一設置部若しくは第二設置部を使い分けることによって常に無線ユニットの内部に設けられたアンテナの指向特性を良好に維持できる姿勢で設置できる。
【００１７】
また、請求項５に係る発明の遊技機では、請求項１乃至４のいずれかに記載のＩＣタグ監視回路収納ボックスによって監視されているため、請求項１乃至４のいずれかに記載の効果を有することにより、不正な改造を試みる者による遊技機に対する改造を防止することができる。
【発明を実施するための最良の形態】
【００１８】
以下、本発明の一実施の形態である各パチンコ機（遊技機）の状態をＩＣタグを通じて監視するＩＣタグ監視装置であるリーダライタユニット（以下、「Ｒ／Ｗユニット」と称する）について、図面を参照して説明する。
【００１９】
まず、Ｒ／Ｗユニットの概要を説明するために、Ｒ／Ｗユニットを備えた遊技機の管理システムの構成について説明する。図１は遊技場等に設置されるパチンコ機１の監視システムの構成を示すブロック図であり、図２は同遊技場の遊技機設置島２００の斜視図である。図１に示されるように、遊技場内にある複数台のパチンコ機１は背中合わせに２列に並べて設置されて遊技機設置島を構成する。各遊技機設置島２００には中継機１００が設置されている。また、各パチンコ機１の状態を監視するＲ／Ｗユニット３０がそれぞれ遊技機設置島２００に備えられている。
【００２０】
一方、パチンコ機１において、不正な開閉・操作等がされないか監視を行うべき箇所には、後述するような監視タグ１４（図３参照）及び同監視タグ１４に対応する監視アンテナ１２（図３参照）が設けられている。各パチンコ機１に対応するＲ／Ｗユニット３０は、これら監視アンテナ１２から監視タグ１４に呼出波を送信させ、その監視タグ１４からの反射波を監視アンテナ１２で受信し、反射波に含まれたＩＤコードを読み取ることにより、設置箇所の状況を監視している。そして、Ｒ／Ｗユニット３０によって得られたパチンコ機１の監視情報は、無線ユニット９０によって各遊技機設置島２００に設置された中継機１００に送信され、さらに各中継機１００が接続された遊技場を管理する管理機３００に送信される。また、中継機１００では、Ｒ／Ｗユニット３０から受信した監視情報を報知し、その監視情報に対して遊技場内で係員が対応できるように構成されている。以上の様に、遊技場を管理する管理機３００は遊技場に設置されている全てのパチンコ機１の監視情報を中継機１００を介して収集し、蓄積できるように構成されている。なお、Ｒ／Ｗユニット３０は、図２に示されるように、各パチンコ機１の背面側の上部、即ち遊技機設置島２００の内側の上部に備えられている。
【００２１】
次に、パチンコ機１の構成について図３及び図４を参照して説明する。図３はパチンコ機１の前面枠１１１及び本体枠１１０を開いた状態をパチンコ機１の前面から見た斜視図であり、図４はパチンコ機１の背面図である。
【００２２】
図３に示されるように、パチンコ機１は、外枠１１２と、本体枠１１０と、前面枠１１１とから構成されている。外枠１１２は、パチンコ機１の外形形状に即した略長方形状の枠体であり、パチンコ機１を遊技機設置島２００に固定するためのものである。また、本体枠１１０は外枠１１２の内枠に沿った形状を成している。本体枠１１０には、遊技盤２がはめ込まれている他、パチンコ機１の動作を制御する種々の基板、図示外の発射機に遊技球を供給するとともに遊技球を受ける上皿５及び下皿６、遊技球を発射するための発射ハンドル７が設置されている。なお、遊技盤２は略正方形を成しており、本体枠１１０の正面の上半分の部分に設けられている。また、前述した上皿５は遊技盤２の下方部に設けられ、下皿６は上皿５の直下に設けられ、発射ハンドル７は下皿６の右横に設けられている。
【００２３】
前面枠１１１も略長方形状をなした枠体であり、遊技盤２の外形に即した形状の透明なガラス板１１１ａを保持し、遊技盤２を保護するために覆っている。遊技盤２には、ガイドレール３で囲まれた略円形の遊技領域４が設けられており、発射ハンドル７を操作することにより発射された遊技球がガイドレール３に導かれて、遊技領域４へ侵入し、流下する。なお、遊技領域４の各所には種々の入賞口、電飾ランプ、風車、障害釘及び図柄表示装置等が設けられている。また、遊技領域４の下部には、大入賞口８が設けられている。
【００２４】
一方、各種基板は、図４に示されるようにパチンコ機１の背面に備えられている。パチンコ機１の背面左下部には、パチンコ機１の主制御を司る主制御基板２１を収納した主基板ボックス２０が設けられている。その主基板ボックス２０の右隣には音源基板２３が設けられており、その音源基板２３の右隣上方には電源基板２２が設けられている。その電源基板２２の下方には、払出制御基板２４が配置されている。音源基板２３はパチンコ機１から発せられる音楽、音声等のデータを備えており、電源基板２２はパチンコ機１の動作に要する電力の供給及び制御を行う。払出制御基板２４は、パチンコ機１の前面に設けられている下皿６への遊技球の払い出しの制御を行う。なお、電源基板２２、音源基板２３及び払出制御基板２４はそれぞれ透明な樹脂製のボックスに収められている。
【００２５】
主基板ボックス２０の上方には、遊技盤２の裏面を保護し、各種配線を覆う透明な樹脂で形成されたセンターカバー２５が配置されている。なお、センターカバー２５は透明な樹脂で形成されているため、その外部からセンターカバー２５の内部を視認することが可能である。また、センターカバー２５の上部には、遊技球タンク２６が設けられている。遊技球タンク２６は、遊技機設置島２００からパチンコ機１へ供給された遊技球を貯留し、その遊技球を下皿６へ供給する。
【００２６】
このようなパチンコ機１において、不正な行為を試みる者による不正な開閉がされないか監視を行う対象とする場所には監視タグ１４及び監視アンテナ１２が対になって設置されている。具体的には、図３に示されるように、外枠１１２の右側枠の内面には監視タグ１４ｂが貼り付けられており、本体枠１１０の右側面には監視アンテナ１２ｂが備えられている。監視タグ１４ｂと監視アンテナ１２ｂとは本体枠１１０と外枠１１２とが閉じられた場合に、向き合う位置に配置されている。そして、本体枠１１０と外枠１１２とが閉じられている状態（正常な状態）では、監視タグ１４ｂと監視アンテナ１２ｂとの距離が近いため通信可能となり、本体枠１１０と外枠１１２とが開けられた状態（異常な状態）では、監視タグ１４ｂと監視アンテナ１２ｂとの距離が広がるため通信不能となる。Ｒ／Ｗユニット３０は、監視タグ１４ｂと監視アンテナ１２ｂとが通信不能となると異常と判断し、その異常の発生を発生時刻に関連付けて監視情報として記録する。そして、これらの監視情報は前述したように、Ｒ／Ｗユニット３０から無線ユニット９０により中継機１００へ送信され、更に管理機３００に送信される。
【００２７】
本実施例ではこの他に、主基板ボックス２０の開閉状態を監視するために、監視タグ１４ａ（図４参照）及び監視アンテナ１２ａ（図示せず）が、また、前面枠１１１と本体枠１１０との開閉状態を監視するために、監視タグ１４ｃ及び監視アンテナ１２ｃが設置されており（図３参照）、Ｒ／Ｗユニット３０が各所の開閉状態を監視している。
【００２８】
次に、図５を用いてＲ／Ｗユニット３０の構成について説明する。図５は、Ｒ／Ｗユニット３０の分解斜視図である。以下にＲ／Ｗユニット３０を構成する各部材について詳述する。
【００２９】
Ｒ／Ｗユニット３０の底部を構成するベース３２は平面視略長方形状を成し、上面が開放された底の浅い箱型形状の部材であり、後述する第二カバー８０に形成された段差８２に係止する爪部３４を備えている。爪部３４はベース３２の一方の短辺上の２箇所に立設されており、内側に突出して形成された返しを備えている。
【００３０】
また、ベース３２の底部は長辺方向に沿って３つに仕切られ、各設置部が形成されている。具体的には、爪部３４が形成された短辺側から順に、第一設置部３６、第二設置部３８、第三設置部４０が形成されている。各設置部３６，３８，４０には後述する第一基板組５０、駆動用バッテリー５８及びＲ／Ｗユニット用電源基板６０がそれぞれ設置される。
【００３１】
さらに、ベース３２には、後述する第二カバー監視用アンテナ６２が設置される袋状のアンテナ設置部４２が形成されている。アンテナ設置部４２は略長方形状を成したベース３２の一方の長側面の面上で、かつ、前述した爪部３４が形成された短辺寄りに形成されている。
【００３２】
加えて、ベース３２の一方の長側面にはＲ／Ｗユニット３０を取り付けるために略長方形状を成した板状の取り付け部４４ａが底面の延設方向に沿って２個凸設されている。両取り付け部４４ａには長方形状の係止用穴４６ａが開口されている。また、ベース３２の底部には、両取り付け部４４ａが設けられた長側面の縁から所定の距離をおいた位置に係止用穴４６ａと等しい形状の係止用穴４６ｃが２個開口されている。
【００３３】
同様に、ベース３２の一方の短側面にも係止用穴４６ｂが開口された取り付け部４４ｂが底面の延設方向に沿って２個凸設されている。そして、やはり同様に、両取り付け部４４ｂが設けられた短側面の縁から所定の距離をおいたベース３２の底部には、係止用穴４６ｂと等しい形状の係止用穴４６ｄが２個開口されている。ここで、各係止用穴４６ａ，４６ｃの配置間隔と、各係止用穴４６ｂ，４６ｄの配置間隔は互いに等しく、各係止用穴４６ａ，４６ｂ，４６ｃ，４６ｄの形状は同一である。
【００３４】
なお、他にベース３２の底面には後述する無線ユニット９０を取り付ける際に使用される第一Ｌ字フック組９８ａ（図１１参照）及び第二Ｌ字フック組９８ｂ（図１４参照）が形成されているが、これらについては後に述べる。
【００３５】
次に、第一設置部３６に設置される第一基板組５０について説明する。第一基板組５０は、ＩＣタグ監視回路基板５０ａと後述する通信回路基板５０ｂとから成る。ＩＣタグ監視回路基板５０ａは、パチンコ機１の各所に設けられた監視タグ１４の状態を監視するＩＣタグ監視回路が設けられた基板である。ＩＣタグ監視回路基板５０ａの上面には複数個の基板実装用コネクタ５２が、コネクタ挿入口を上方に向けて立設されている。各基板実装用コネクタ５２には、後述するように、パチンコ機１の各所に設けられた監視アンテナ１２ａ〜ｃとＩＣタグ監視回路とを接続するケーブル１６が接続される。なお、基板実装用コネクタ５２は、ケーブル１６との接続の都合上、ＩＣタグ監視回路基板５０ａの一方の短辺に沿って設けられている。なお、ＩＣタグ監視回路は各種電子部品により形成されているが、図５においては、理解を容易とするためにＩＣタグ監視回路基板５０ａには基板実装用コネクタ５２以外の部品は図示していない。
【００３６】
続いて、通信回路基板５０ｂについて説明する。図５に示されるように、通信回路基板５０ｂは平面視略長方形状に形成され、同通信回路基板５０ｂにはＩＣタグ監視回路によって得られたパチンコ機１の監視情報を、無線ユニット９０を介して中継機１００へ送るための通信回路が設けられている。通信回路基板５０ｂの上面には第二基板接続用コネクタ５４が、そのコネクタ挿入口を通信回路基板５０ｂの上方に向けて設けられている。第二基板接続用コネクタ５４には、後述する第二基板７６に設けられた第一基板組接続用コネクタ７８が接続される。なお、通信回路基板５０ｂについても理解を容易とするために、図５においてはその基板上の第二基板接続用コネクタ５４以外の部品は図示していない。通信回路基板５０ｂは、その四隅をスペーサ５６によって前述のＩＣタグ監視回路基板５０ａと接続されることにより第一基板組５０を構成する。
【００３７】
第二設置部３８には駆動用バッテリー５８が設置される。駆動用バッテリー５８は、夜間や遊技場の定休日など遊技機設置島２００から電力が供給されない場合に、Ｒ／Ｗユニット３０中の各基板に電力を供給するバッテリーである。
【００３８】
そして、第三設置部４０にはＲ／Ｗユニット用電源基板６０が設置される。Ｒ／Ｗユニット用電源基板６０は、Ｒ／Ｗユニット３０が備え付けられた遊技機設置島２００から供給される電力を受け、Ｒ／Ｗユニット３０中の各基板に電力の供給を行う。
【００３９】
第二カバー監視用アンテナ６２は、パチンコ機１の各所に備え付けられた監視タグ１４ａ〜ｃと同種のものであり、アンテナ設置部４２内に設置される。第二カバー監視用アンテナ６２は後述する第二カバー監視用タグ対応して動作するものであるが、その具体的な動作については後で述べる。
【００４０】
第一カバー６４は、ベース３２の外縁形状に対応した略長方形状の薄い蓋状を成しており、ベース３２と組み合わされることによって収納容器を構成する。略長方形状を成した第一カバー６４の上面には、その短辺に沿って伸びた長方形状の第二開口部６８が形成されている。また、第一カバー６４の一方の短辺側には薄く形成された薄部分７０が形成されており、同薄部分７０には同短辺に沿って伸びた第一開口部６６が形成されている。また、第一カバー６４の上面には、ベース３２に組み付ける際に使用される固定用の座ぐり穴７２が形成されている。さらに、第一カバー６４の両長側面上において、薄部分７０が形成された短辺と反対側の短辺寄りに凸部７４が突出形成されている。凸部７４は後述する第二カバー８０との嵌め合わせの際の回動軸として使用される。
【００４１】
第一カバー６４の上面には第二基板７６が設置される。第二基板７６にはＩＣタグによる監視情報を出力したり、パチンコ機１の大当たり回数等の遊技情報を何系統かに分岐させて出力するためのコネクタや回路等が設けられている。具体的には、第二基板７６の上面に、ホールコンピュータ用コネクタ７７及び無線ユニット用コネクタ７９が備えられている。ホールコンピュータ用コネクタ７７には遊技場内で従来より使用されるホールコンピュータと接続されるケーブルが挿入され、無線ユニット用コネクタ７９には後述する無線ユニット９０と接続されるケーブルが挿入される。それゆえ、第二基板７６においてはコネクタの抜差作業が頻繁に行われることで、同第二基板７６上の各部品に影響を与えることがある。そのため、第二基板７６上の各部品は交換する可能性が高いといえる。なお、前述の遊技情報は第二基板７６上で二系統に分岐されて、一方はホールコンピュータ用コネクタ７７からホールコンピュータへ送信され、もう一方は、無線ユニット９０によって監視情報と共に中継機１００へ送信される。さらに、第二基板７６の下面には、前述した通信回路基板５０ｂの第二基板接続用コネクタ５４と電気的に接続するための第一基板組接続用コネクタ７８が備えられている。なお、第二基板７６についても理解を容易とするために、第一基板組接続用コネクタ７８以外の部品は図示していない。
【００４２】
第二基板７６の上からは第二カバー８０が取り付けられる。第二カバー８０は、ベース３２の外縁形状にほぼ即した略長方形の深い蓋状を成しており、光を通さない光非透過性の合成樹脂により形成されている。略長方形状を成した第二カバー８０の一方の短側面には、蓋部の天井面から一段低くなった段差８２が形成されている。第二カバー８０がベース３２及び第一カバー６４に組み付けられた際には、段差８２は第一カバー６４の薄部分７０の直上付近に位置するように形成されている。
【００４３】
また、段差８２の短側面には、蓋の開口部とつながった切り欠き８４が形成されている。第二カバー８０がベース３２及び第一カバー６４に組み付けられた際に、切り欠き８４には各監視アンテナ１２ａ〜ｃと接続するケーブル１６が通される。
【００４４】
また、第二カバー８０の内側には第二カバー監視用タグ８６が設置されている。より具体的には、第二カバー８０がベース３２及び第一カバー６４に組み付けられた際に、ベース３２のアンテナ設置部４２が形成された長側面に対応する側面の内側において、段差８２が形成された短辺寄りに設置されている。さらに、第二カバー８０の両長側面の内側において、段差８２が形成された短辺と反対側の短辺寄りには、前述した凸部７４を受ける凹部８８が形成されている。
【００４５】
次に、以上の構成部品から成るＲ／Ｗユニット３０の組み上げ手順について説明する。まず、ＩＣタグ監視回路基板５０ａと通信回路基板５０ｂとがスペーサ５６を介して接続され、第一基板組５０が組み上げられる。つぎに、ベース３２上の第一設置部３６に組み上げられた第一基板組５０が設置される。同様に第二設置部３８に駆動用バッテリー５８が、第三設置部４０にＲ／Ｗユニット用電源基板６０がそれぞれ設置される。また、ベース３２のアンテナ設置部４２には第二カバー監視用アンテナ６２が挿入される。
【００４６】
続いて、各部品が設置されたベース３２の上から第一カバー６４が組み付けられ、座ぐり穴７２を通じて、第一カバー６４がベース３２にネジ等で固定される。これにより、第一基板組５０、駆動用バッテリー５８及びＲ／Ｗユニット用電源基板６０が、ベース３２及び第一カバー６４によって形成された容器内に収納される。なお、第一基板組５０がベース３２及び第一カバー６４によって収納された際には、第一カバー６４に開口された第一開口部６６からＩＣタグ監視回路基板５０ａ上に設けられた基板実装用コネクタ５２が突出する。また、第二開口部６８には通信回路基板５０ｂ上に設けられた第二基板接続用コネクタ５４が位置する。
【００４７】
次に、第二基板７６と第一基板組５０の通信回路基板５０ｂとが接続される。具体的には、第一カバー６４の第二開口部６８を通じて第一基板組接続用コネクタ７８が第二基板接続用コネクタ５４に接続されることにより、第二基板７６と通信回路基板５０ｂとが電気的に接続される。
【００４８】
続いて、第二カバー８０が第一カバー６４の上からベース３２に組み付けられる。具体的には、第一カバー６４に形成された凸部７４に第二カバー８０の内側に形成された凹部８８が嵌め合わされる。その結果、同嵌め合わせにより第二カバー８０は、第二カバー８０を覆い被せる直前のＲ／Ｗユニット３０の斜視図である図６に示されるように、第一カバー６４に対して回動可能となる。
【００４９】
そして、ＩＣタグ監視回路基板５０ａ上のＩＣタグ監視回路に、パチンコ機１の各所に取り付けられた監視アンテナ１２ａ〜ｃが電気的に接続される。具体的には、第二カバー８０を覆い被せる直前のＲ／Ｗユニット３０の斜視図である図６に示されるように、監視アンテナ１２ａ〜ｃにつながるケーブル１６の先端部に備えられたケーブルコネクタ１８が第一カバー６４の第一開口部６６から突出した、ＩＣタグ監視回路基板５０ａ上の基板実装用コネクタ５２に接続される。
【００５０】
また、通信回路基板５０ｂに、ホールコンピュータ及び無線ユニット９０が電気的に接続される。具体的には、ホールコンピュータにつながるケーブル３０２の先端部に備えられたケーブルコネクタ３０４が通信回路基板５０ｂ上のコネクタ回路に形成されたホールコンピュータ用コネクタ７７に接続される。さらに、無線ユニット９０につながるケーブル９９の先端部に備えられたケーブルコネクタ１０１が通信回路基板５０ｂ上のコネクタ回路に形成された無線ユニット用コネクタ７９に接続される。
【００５１】
図７は組み上げが完了したＲ／Ｗユニット３０の斜視図である。図７に示されるように、凸部７４と凹部８８との嵌合箇所を軸として第二カバー８０が回動され、第一カバー６４及びベース３２に覆い被せられる。そして、ベース３２に立設された２つの爪部３４の返しが第二カバーに形成された段差８２に係止され、Ｒ／Ｗユニット３０が組み上がる。この際、ＩＣタグ監視回路基板５０ａの基板実装用コネクタ５２に接続されたケーブル１６、第二基板７６の無線ユニット用コネクタ７９に接続されたケーブル９９、そして第二基板７６のホールコンピュータ用コネクタ７７に接続されたケーブル３０２は切り欠き８４を通じて外部に出される。
【００５２】
組み上げが完了したＲ／Ｗユニット３０においては、ベース３２に設けられた第二カバー監視用アンテナ６２と第二カバー８０の内側に設けられた第二カバー監視用タグ８６とが接近し、互いに向き合う位置に配置される。これら第二カバー監視用アンテナ６２及び第二カバー監視用タグ８６間の通信状態が監視されることにより、Ｒ／Ｗユニット３０自体に対するにも不正な開閉の監視が可能になる。
【００５３】
ここで、組み上げが完了したＲ／Ｗユニット３０の内部について説明する。図８は、Ｒ／Ｗユニット３０の部分平面図であり、図９は、Ｒ／Ｗユニット３０の図８においてＡ−Ａ線における矢視方向からみた断面図である。図９に示されるように、Ｒ／Ｗユニット３０が組み上げられた際には、第二カバー８０に形成された段差８２が基板実装用コネクタ５２の近傍に配置される。より具体的には、段差８２は、基板実装用コネクタ５２に挿入されたケーブルコネクタ１８の引き抜き方向線上に位置し、ケーブルコネクタ１８を引き抜くためのスペースをふさぐ様に配置される。したがって、不正行為によってケーブルコネクタ１８が引き抜かれようとしても、段差８２が障害となり、ケーブルコネクタ１８の引き抜きが防止される。
【００５４】
続いて、Ｒ／Ｗユニット３０で得られたパチンコ機１の各所の監視情報を中継機１００へ送信する無線ユニット９０について説明する。図１０は無線ユニット９０の外形を示す斜視図である。無線ユニット９０は略直方体形状を成しており、その内部には破線で示されるように無線アンテナ９１及び無線モジュール９３が収容されている。なお、略長方形状を成す無線アンテナ９１は、略直方体を成した無線ユニット９０の長手方向に沿って設置されている。また、無線ユニット９０の底辺の両長側面には取り付け用片９２が、また底辺の一方の短側面には係止片９６がそれぞれ底面の延設方向に沿って凸設されている。さらに、係止片９６が形成されている短辺には開口部９５が設けられている。取り付け用片９２には、無線ユニット９０をＲ／Ｗユニット３０へ固定するための穴９４が開口されている。また、係止片９６の上面の両端付近には略円柱状の係止用突部９７が形成されている。さらに、開口部９５には無線ユニット９０の内部に設けられた無線モジュール９３とＲ／Ｗユニット３０の内部に設けられた通信回路基板５０ｂとを接続するケーブル９９が通される。ケーブル９９の先端には前述したケーブルコネクタ１０１が設けられている。
【００５５】
次に、無線ユニット９０のＲ／Ｗユニット３０への取り付け手順について、横向きのＲ／Ｗユニット３０に無線ユニット９０が取り付けられた状態を示す斜視図である図１１を用いて説明する。Ｒ／Ｗユニット３０の底部を構成するベース３２の底面には、無線ユニット９０が取り付けられる第一Ｌ字フック組９８ａが形成されている。第一Ｌ字フック組９８ａは並列に配置された二個一組のフックから成っており、両フックの鍵爪部分は、ベース３２の底面において、取付け部４４ａが形成されている辺とは反対の辺に向けて突出するように形成されている。無線ユニット９０がＲ／Ｗユニット３０に取り付けられる際には、まず、無線ユニット９０の係止片９６が第一Ｌ字フック組９８ａにはめ込まれる。この際、第一Ｌ字フック組９８ａは係止片９６の両端に形成された２つの係止用突部９７によって挟まれる様にはめ込まれる。そして、無線ユニット９０が取り付け用片９２に開口された穴９４を介してネジ等でＲ／Ｗユニット３０の底面に固定されることにより、無線ユニット９０のＲ／Ｗユニット３０への取り付けが完了する。なお、無線ユニット９０の開口部９５から通されるケーブル９９がＲ／Ｗユニット３０の切り欠き８４を介してＩＣタグ監視回路基板と電気的に接続されるが、監視アンテナ１２ａ〜ｃをつなぐケーブル１６と同じであるため、その詳細な説明及び表示は省略する。
【００５６】
続いて、無線ユニット９０が固定されたＲ／Ｗユニット３０の遊技機設置島２００への取り付け方法について説明する。Ｒ／Ｗユニット３０は係止用部材１５０を介して遊技機設置島２００に取り付けられる。図１２は、係止用部材１５０の斜視図である。係止用部材１５０は天板１５０ａと側板１５０ｂの２面から成る略Ｌ字型の部材である。側板１５０ｂには４個の略Ｌ字型を成した係止用爪１５１ａ，ｂが天板１５０ａの張り出し方向と同一方向に突出して形成されている。４個の係止用爪１５１ａ，１５１ｂは、縦２列、横２行の配置で形成されている。ここで、横２行のうち、上側の行に形成されている２つの係止用爪を係止用爪１５１ａとし、下側の行に形成されている２つの係止用爪を係止用爪１５１ｂをとする。
【００５７】
なお、係止用部材１５０の係止用爪１５１ａ，１５１ｂの合計４つの爪のそれぞれの形成位置は、ベース３２に開口された係止用穴４６ａ，４６ｃの合計４つの開口位置、及び係止用穴４６ｂ，４６ｄの合計４つの開口位置にそれぞれ一致している。
【００５８】
また、２つの係止用爪１５１ａの間には係止用突片１５２が形成されている。係止用突片１５２は天板１５０ａから側板１５０ｂにかけてその一部を切り出した帯状の部材を屈曲させた形状をなしている。帯状を成す係止用突片１５２の一方の端部は天板１５０ａとつながっており、他方の端部は、側板１５０ｂから完全に切り離されており、側板１５０ｂから天板１５０ａが張り出した方向と同じ方向へ浮き上がっている。さらに、係止用突片１５２は天板１５０ａと側板１５０ｂとの境界付近で屈曲して形成されることによって弾性力を有している。
【００５９】
続いて、この係止用部材１５０を用いたＲ／Ｗユニット３０の遊技機設置島２００への取り付け手順に付いて説明する。まず、Ｒ／Ｗユニット３０が取り付けられる遊技機設置島２００の背面に係止用部材１５０が取り付けられる。係止用部材１５０はその側板１５０ｂが遊技機設置島２００の背面に当接するようにネジ等を用いて取り付けられる。なお、Ｒ／Ｗユニット３０の底面には無線ユニット９０が取り付けられるので、Ｒ／Ｗユニット３０の底面が遊技機設置島２００の壁面に接しないようにするため、Ｒ／Ｗユニット３０はほぼ宙吊りに近い状態で取り付けられる必要がある。したがって、係止用部材１５０は、遊技機設置島２００の内側の壁面の下端部付近に取り付けられるのが望ましい。
【００６０】
次に、遊技機設置島２００に対して横向きに取り付けられたＲ／Ｗユニット３０を示す参考図である図１３を用いて遊技機設置島２００にＲ／Ｗユニット３０が取り付けられる手順について説明する。遊技機設置島２００の背面に取り付けられた係止用部材１５０の係止用爪１５１にＲ／Ｗユニット３０が取り付けられる。ここでは、Ｒ／Ｗユニット３０を横向きにして遊技機設置島２００に設置するために、Ｒ／Ｗユニット３０のベース３２の長辺に沿って形成された取り付け部４４ａに開口された係止用穴４６ａ及びベース３２の底面に開口された係止用穴４６ｃが用いられる。即ち、係止用部材１５０の係止用爪１５１ａにはＲ／Ｗユニット３０の係止用穴４６ａが、また係止用爪１５１ｂには係止用穴４６ｂが掛けられる。各係止用爪１５１に対応する係止用穴４６がかけられた際には、係止用爪１５１ａの間の係止用突片１５２の端部が側板１５０ｂより浮き上がっているため、同端部がＲ／Ｗユニット３０の側面に引っ掛かり、Ｒ／Ｗユニット３０の係止用部材１５０からの脱落を防ぐ。これにより、Ｒ／Ｗユニット３０の遊技機設置島２００への取り付けが完了する。
【００６１】
なお、上述のＲ／Ｗユニット３０の取り付け手順の説明では、Ｒ／Ｗユニット３０は、ベース３２の長辺側に形成された取り付け部４６ａの係止用穴４６ａ及びベース３２の底面の係止用穴４６ｃを用いて、遊技機設置島２００に対して横向きに取り付けられた。しかし、Ｒ／Ｗユニット３０のベース３２はその短辺にも取り付け部４４ａと同様に係止用穴４６ｃを備えた取り付け部４４ｂを備えており、またベース３２の底面にも係止用穴４６ｃと同様の係止用穴４６ｄを備えているため、Ｒ／Ｗユニット３０は係止用穴４６ｂ，４６ｄを用いることにより、遊技機設置島２００に対して縦向きに設置されることもできる。
【００６２】
以下に、Ｒ／Ｗユニット３０が遊技機設置島２００に対して縦向きに設置される場合について説明する。図１４は、係止片第二Ｌ字フック組９８ｂを用いることで縦向きのＲ／Ｗユニット３０に対して無線ユニット９０が縦向きに取り付けられた状態を示す斜視図である。Ｒ／Ｗ遊技機設置島２００に対して縦向きに設置される場合には、ベース３２の短辺に備えられた取り付け部４４ｂの係止用穴４６ｂと、ベース３２の底部に開口された係止用穴４６ｄを用いて設置される。ここで、Ｒ／Ｗユニット３０で得られた監視情報を無線送信する無線ユニット９０は、その内部に治められたアンテナの指向性の特性上、縦向きに設置されることが望ましい。そのため、Ｒ／Ｗユニット３０が遊技機設置島２００に対して縦向き、即ち前述の横向きの設置状態と比べて９０度回転させた状態で設置された場合には、無線ユニット９０も９０度回転させて、縦向きにＲ／Ｗユニット３０に取り付けられることが望ましい。そのため、無線ユニット９０は、ベース３２の底面に形成された第二Ｌ字フック組９８ｂを用いて、Ｒ／Ｗユニット３０に対して縦向きに取り付けられる。なお、第二Ｌ字フック組９８ｂは、第一Ｌ字フック組９８ａと同じ形状を成しており、ベース３２の底面において、第一Ｌ字フック組９８ａに対して９０度回転させた向きで形成されている。
【００６３】
遊技機設置島２００に対して縦向きに設置されるＲ／Ｗユニット３０に無線ユニット９０を縦向きに取り付ける手順は、先の設置手順と同様に、まず無線ユニット９０の係止片９６が第二Ｌ字フック組９８ｂにはめ込まれる。そして、取り付け用片９２の穴９４を介してネジなどで無線ユニット９０がＲ／Ｗユニット３０の底面に固定されることによって取り付けられる。
【００６４】
そして、遊技機設置島２００に取り付けられた係止用部材１５０の係止用爪１５１ａにＲ／Ｗユニット３０の係止用穴４６ｂが、また係止用爪１５１ｂに係止用穴４６ｄが掛けてられることで、先と同様にＲ／Ｗユニット３０が遊技機設置島２００に設置される。図１５は、遊技機設置島２００に対して縦向きに取り付けられたＲ／Ｗユニット３０を示す参考図である。
【００６５】
図１６は、Ｒ／Ｗユニット３０が取り付けられた遊技機設置島２００の背面の様子を示す説明図であり、図１７は図１６中の一点鎖線Ｂ−Ｂにおいて矢視方向から見た遊技機設置島２００の部分断面図である。Ｒ／Ｗユニット３０は、縦向き、横向きのいずれの方向にも設置可能であるため、図１６に示されるように遊技機設置島２００におけるＲ／Ｗユニット３０の取り付けスペースが一定していない場合であっても、設置することができる。
【００６６】
なお、上記実施の形態において、ＩＣタグ監視回路基板５０ａが本発明の「第一の基板」に相当し、ベース３２が本発明の「ベース部材」に相当し、第一カバー６４が本発明の「第一のカバー部材」に相当し、第二カバー８０が本発明の「第二のカバー部材」に相当し、第二カバー監視用タグ８６が本発明の「第二カバー監視用ＩＣタグ」に相当し、第二カバー監視用アンテナ６２が本発明の「第二カバー監視用アンテナ」に相当し、Ｒ／Ｗユニット３０が本発明の「ＩＣタグ監視回路収納ボックス」に相当する。また、基板実装用コネクタ５２が本発明の「基板実装用コネクタ」に相当し、第一開口部６６が本発明の「第一の開口部」に相当し、段差８２が本発明の「段差部」に相当する。さらに、第二開口部６８が本発明の「第二の開口部」に相当し、第二基板７６が本発明の「第二の基板」に相当する。加えて、第一Ｌ字フック組９８ａが本発明の「第一設置部」に相当し、第二Ｌ字フック組９８ｂが本発明の「第二設置部」に相当する。そして、パチンコ機１が本発明の「遊技機」に相当し、する。
【００６７】
以上、本実施の形態によるパチンコ機１のＲ／Ｗユニット３０によれば、不正改造の対象とされるＩＣ監視回路が設けられたＩＣタグ監視回路基板５０ａが第一カバー６４及び第二カバー８０で二重に覆われている上に、第二カバー監視用アンテナ６２及び第二カバー監視用タグ８６によって監視されている。したがって、ＩＣタグ監視回路基板５０ａの不正な改造を試みる者による外からの接触をより困難にしており、不正な改造を防ぐことができる。
【００６８】
また、不正な改造を試みる者が監視アンテナ１２を外そうとして、ピンセット等の工具を用いてＲ／Ｗユニット３０の切り欠き８４から監視アンテナ１２につながるケーブルコネクタ１８をＩＣタグ監視回路基板５０ａ上の基板実装用コネクタ５２から抜き取ろうとする場合がある。しかし、このような場合でも、第二カバー８０に形成された段差８２が基板実装用コネクタ５２に挿入されたケーブルコネクタ１８の引き抜きの方向線上の近傍に配置されているため、不正な改造を試みる者がケーブルコネクタ１８を引き抜こうとしても段差８２が障害となって引き抜くことができず、不正な改造を防止することができる。
【００６９】
加えて、不正改造の対象とされるＩＣ監視回路が設けられたＩＣタグ監視回路基板５０ａは第一カバー６４及び第二カバー８０によって二重に覆われているが、それ以外の基板、すなわち遊技情報等を管理して、不正改造の対象とはされず、Ｒ／Ｗユニット３０を動作させる上で、交換、修繕等を要することがある回路が設けられた基板（実施例では第二基板７６）が、第一カバー６４の外側に備えられている。したがって、不正改造の対象となる基板のみを二重のケースで覆い、それ以外の交換・修繕を要する基板を一重のケースで覆ったため、Ｒ／Ｗユニット３０の維持管理を容易に行うことができる。
【００７０】
なお、略長方形状を成した無線アンテナ９１は、その指向特性上、縦向きに配置されることが望ましい。そのためには、同無線アンテナ９１を長手方向に沿って収納した無線ユニット９０は縦向きに設置される必要がある。そのため、Ｒ／Ｗユニット３０が、遊技機設置島２００に対して、横向きの姿勢で取り付けられた場合には、Ｒ／Ｗユニット３０の底面に形成された第一Ｌ字フック組９８ａを使用することによって、無線ユニット９０を縦向きに設置することができる。また、Ｒ／Ｗユニット３０が、遊技機設置島２００に対して、縦向きの姿勢で取り付けられた場合には、第一Ｌ字フック組９８ａに対して９０度回転させた第二Ｌ字フック組９８ｂを使用することによって、無線ユニット９０をやはり縦向きに設置することができる。このように、Ｒ／Ｗユニット３０が遊技機設置島２００に対して、縦向き、横向きのいずれかの姿勢で取り付けられても、第一Ｌ字フック組９８ａ若しくは第二Ｌ字フック組９８ｂを使い分けることによって、無線ユニット９０は常に縦向きに設置することができ、その内部に設けられた無線アンテナ９１の良好な指向特性を維持することを可能としている。
【００７１】
上述の様に構成されたＲ／Ｗユニット３０によって監視されるパチンコ機１は、Ｒ／Ｗユニット３０により不正な改造から保護されているいため、その信頼性を向上させることができる。
【００７２】
なお、本実施例では、係止用部材１５０の側板１５０ｂがパチンコ機１の背面に当接するようにして取り付けられたが、係止用部材１５０の天板１５０ａを遊技機設置島２００の内側の天井面に当接させて取り付けることによって、Ｒ／Ｗユニット３０を宙吊りにするように取り付けることも可能である。このようにすれば、遊技機設置島２００の裏側の壁面にＲ／Ｗユニット３０の設置スペースが十分に確保できなくても、Ｒ／Ｗユニット３０を宙吊りにすることで設置することができる。
【００７３】
また、本実施例ではＲ／Ｗユニット３０を遊技機設置島２００の背面に取り付けたが、取り付けスペースの都合によっては、Ｒ／Ｗユニット３０を遊技機設置島２００ではなく、パチンコ機１や、パチンコ機１に隣接して設置されている遊技球の貸出装置に取り付けてもよい。このようにすれば、遊技機設置島２００の設置スペースにとらわれることなくＲ／Ｗユニット３０を設置することができる。
【００７４】
さらに、本実施例ではＲ／Ｗユニット３０の第二カバー８０が光を通さない光非透過性の合成樹脂により形成されているため、外からはＲ／Ｗユニット３０の内部の構造、例えばネジの配置等が分かり難く、不正な開閉や改造を行い難くして、ＩＣタグ監視回路基板５０ａのより強固に保護することができる。
【００７５】
加えて、本実施例では、第二カバー８０の材質は光を通さない光非透過性の合成樹脂であったが、透明の合成樹脂の表面を塗装等で着色したものでもよい。このようにしても同様の効果を得ることができる。
【００７６】
また、本実施例では第二カバー８０の材質が光非透過性の合成樹脂であったため、第二カバー８０の全体が光を通さなかったが、第二カバー８０の一部のみを光透過性樹脂で形成して、その一部のみが光を通すようにしてもよい。例えば、この光透過性樹脂で形成された部分を、Ｒ／Ｗユニット３０内に収納された基板上に設置され、装置の動作状態を点灯によって示すＬＥＤの付近に配置すれば、Ｒ／Ｗユニット３０の外部から容易に装置の動作状態を知ることができる。
【００７７】
さらに、第二カバー８０の材質をスモークガラスのような光半透過性の合成樹脂にしてもよい。このようにすれば、外部からＲ／Ｗユニット３０のネジの配置等が分かり難く、かつ、外部からＲ／Ｗユニット３０内に収納された基板上に設置され、装置の動作状態を点灯によって示すＬＥＤの様子を容易に把握することができる。
【００７８】
また、本実施例では、ベース３２に第二カバー監視用アンテナ６２を設置し、第二カバー８０に第二カバー監視用タグ８６を設置したが、設置スペースの都合に応じて、これらを入れ換えて、ベース３２に第二カバー監視用タグ８６を設置し、第二カバー８０に第二カバー監視用アンテナ６２を設置してもよい。このようにしても、実施例とほぼ同様の効果を得ることができる。
【００７９】
さらに、Ｒ／Ｗユニット３０から送信されるパチンコ機１の監視情報は、中継機１００を介さず、直接、管理機３００へ送信されてもよい。このようにしても、実施例とほぼ同様の効果を得ることができる。
【００８０】
なお、本発明のＩＣタグ監視回路収納ボックス及び遊技機は、上記した実施の形態に限定されるものではなく、本発明の要旨を逸脱しない範囲内において種々変更を加え得ることは勿論である。
【産業上の利用可能性】
【００８１】
本発明のＩＣタグ監視回路収納ボックス及び遊技機は、不正な改造から保護する必要のあるＩＣタグ監視回路収納ボックス及び遊技機に適用可能である。
【図面の簡単な説明】
【００８２】
【図１】パチンコ機１の監視システムの構成を示すブロック図である。
【図２】遊技場の遊技機設置島２００の斜視図である。
【図３】パチンコ機１の前面枠１１１及び本体枠１１０を開いた状態をパチンコ機１の前面から見た斜視図である。
【図４】パチンコ機１の背面図である。
【図５】Ｒ／Ｗユニット３０の分解斜視図である。
【図６】第二カバー８０を覆い被せる直前のＲ／Ｗユニット３０の斜視図である。
【図７】組み上がったＲ／Ｗユニット３０の斜視図である。
【図８】Ｒ／Ｗユニット３０の部分平面図である。
【図９】図８における一点鎖線Ａ−Ａにおいて矢視方向からみたＲ／Ｗユニット３０の断面図である。
【図１０】無線ユニット９０の外形を示す斜視図である。
【図１１】横向きのＲ／Ｗユニット３０に無線ユニット９０が取り付けられた状態を示す斜視図である。
【図１２】係止用部材１５０の斜視図である。
【図１３】遊技機設置島２００に対して横向きに取り付けられたＲ／Ｗユニット３０を示す参考図である。
【図１４】縦向きのＲ／Ｗユニット３０に対して無線ユニット９０が縦向きに取り付けられた状態を示す斜視図である。
【図１５】遊技機設置島２００に対して縦向きに取り付けられたＲ／Ｗユニット３０を示す参考図である。
【図１６】Ｒ／Ｗユニット３０が取り付けられた遊技機設置島２００の背面の様子を示す説明図である。
【図１７】図１６中の一点鎖線Ｂ−Ｂにおいて矢視方向から見た遊技機設置島２００の部分断面図である。
【符号の説明】
【００８３】
１    パチンコ機
１２ａ〜ｃ  監視アンテナ
１４ａ〜ｃ  監視タグ
３０    Ｒ／Ｗユニット
３２    ベース
３４    爪部
５０    第一基板組
５２    基板実装用コネクタ
５４    第二基板接続用コネクタ
６４    第一カバー
６６    第一開口部
６８    第二開口部
７０    薄部分
７６    第二基板
７８    第一基板組接続用コネクタ
８０    第二カバー
８２    段差
８４    切り欠き
９８ａ  第一Ｌ字フック組
９８ｂ  第二Ｌ字フック組
【図１】
2006212169.tif 000003
【図２】
2006212169.tif 000004
【図３】
2006212169.tif 000005
【図４】
2006212169.tif 000006
【図５】
2006212169.tif 000007
【図６】
2006212169.tif 000008
【図７】
2006212169.tif 000009
【図８】
2006212169.tif 000010
【図９】
2006212169.tif 000011
【図１０】
2006212169.tif 000012
【図１１】
2006212169.tif 000013
【図１２】
2006212169.tif 000014
【図１３】
2006212169.tif 000015
【図１４】
2006212169.tif 000016
【図１５】
2006212169.tif 000017
【図１６】
2006212169.tif 000018
【図１７】
2006212169.tif 000019